(57)【特許請求の範囲】
【請求項１】
袋であって、チューブを形成すべく夫々長手方向接着継ぎ目によって閉じられた少なくとも２つの層から形成されており、かつ２つの先端を有する側面壁と、該先端において前記袋を閉じる折り畳まれた底部と、充填材を充填するための注入開口部と、を具備し、前記側面壁は、少なくとも１つの紙層を有し、該少なくとも１つの紙層は、少なくとも大部分、正味重量での耐荷重性、および前記袋の機械安定性を決定し、
ここにおいて、前記側面壁は、その外側で、プラスチックフィルムからなり、該プラスチックフィルムは、少なくとも１つの紙層を、湿気防止のために囲み、かつ、重なり合う端部の領域に、複数の接着箇所（Ｋ）を有し、該接着箇所の間に空気除去通路（Ｚ）が形成され、前記プラスチックフィルムは６０μｍまたはそれ未満の厚さを有する袋において、
前記プラスチックフィルムは、重なり合う端部の領域でも、穿孔を有しないことを特徴とする袋。
【請求項２】
前記プラスチックフィルムは、１０と５０μｍの間の厚さを有することを特徴とする請求項１に記載の袋。
【請求項３】
前記プラスチックフィルムは、点のみで、該プラスチックフィルムの下方にある紙層と接着されており、従って、該紙層から容易に除去可能であることを特徴とする請求項１または２に記載の袋。
【請求項４】
前記プラスチックフィルムは、透明に形成されていることを特徴とする請求項１ないし３のいずれか１項に記載の袋。
【請求項５】
前記プラスチックフィルムは、ポリエチレンからなることを特徴とする請求項１ないし４のいずれか１項に記載の袋。
【請求項６】
前記プラスチックフィルムの下にある紙層は、漂白紙からなることを特徴とする請求項１ないし５のいずれか１項に記載の袋。
【請求項７】
前記プラスチックフィルムは、該プラスチックフィルムの下にある紙層に向いている内側に、プリントされていることを特徴とする請求項４ないし６のいずれか１項に記載の袋。
【請求項８】
前記プラスチックフィルムは、前記側面壁からの除去を容易にする引き裂き補助手段を備えていることを特徴とする請求項３ないし７のいずれか１項に記載の袋。
【請求項９】
前記プラスチックフィルムは、前記底部の折り畳まれた区域に組み込まれていることを特徴とする請求項１ないし８のいずれか１項に記載の袋。
【請求項１０】
前記袋は、２つの折り畳まれた底部を有し、そのうちの一方は、バルブ開口部を備え、該バルブ開口部へは、注入通路を形成すべく注入過程のために管状に曲げ開けることができるフラットなバルブが、挿入されており、該バルブは、前記バルブ開口部に関し前記袋内部に向いている第１の端部(１３)と、前記側面壁に向いた第２の端部(１４)とを有すること、および、
前記バルブは、前記第１の端部(１３)を形成する紙層(９)を有し、該紙層は、第２の端部(１４)で、折り返されたフィルム層（８）によって覆われており、該フィルム層は、第１のフィルム部分（１１）と、該フィルム部分に折り線を介して接続された第２のフィルム部分（１２）と、を有することを特徴とする請求項１ないし９のいずれか１項に記載の袋。
【請求項１１】
前記フィルム部分（１１，１２)は、夫々、前記紙層（９）の長さの一部分のみに亘って延びていることを特徴とする請求項１０項に記載の袋。
【請求項１２】
前記フィルム層（８）は、前記紙層(９)よりも幅広いことを特徴とする請求項１０または１１に記載の袋。
【請求項１３】
前記バルブの前記第２の端部(１４)から間隔をあけて終わるところの、紙製の補強シール（５）が、前記バルブの領域における前記底部の折り畳まれた区域の中へ挿入されていることを特徴とする請求項１０ないし１２のいずれか１項に記載の袋。
【請求項１４】
前記フィルム層（８）は、３０ないし５０μｍの厚さを有し、前記紙層(９)は、５０と１００ｇ／ｍ２の間の単位面積重量を有することを特徴とする請求項１０ないし１３のいずれか１項に記載の袋。
【発明の詳細な説明】
【技術分野】
【０００１】
本発明は、袋であって、チューブを形成すべく夫々長手方向接着継ぎ目によって閉じられた少なくとも２つの層から形成されており、かつ２つの先端を有する側面壁と、該先端において袋を閉じる折り畳まれた底部と、充填材を充填するための注入開口部と、を具備し、側面壁は、少なくとも１つの紙層を有し、該少なくとも１つの紙層は、少なくとも大部分は、正味重量での耐荷重性、および袋の機械安定性を決定してなる袋に関する。
【０００２】
従って、本発明は、通常はクラフト紙からなるところの少なくとも１つの紙層が袋の安定性を規定してなる紙袋に関する。この場合、側面壁は、１つの紙層から、しかしまた、好ましくは２つ以上の紙層からなってもよい。更に、特に、蒸気に対する充填材のためのバリアを形成するために、複数の紙層の間にプラスチックフィルム層を設けることは知られている。このことによって、例えば、袋からの臭気の漏出を阻止することができる。
【背景技術】
【０００３】
注入開口部を介して袋に充填材を充填することは、結果として、通常、袋内部への空気の侵入を伴う。従って、例えば、既に充填中に空気の除去を可能にする充填パイプまたはバルブ構造体を介して、充填中または充填後に袋から空気を除去することができる様々な処置を施されてきた。紙層が空気流出をゆっくりであっても可能にし、これに対し、プラスチックフィルムは、通常気密である。従って、側面壁を介しての空気除去のためには、プラスチック層には、少なくとも局所領域には、穿孔または篩に似たインサートを設けねばならない。紙袋に関しては、紙層が周囲の湿りまたは湿気をすっかり吸い込むという問題が生じる。従って、紙層は、安定性を失い、湿った紙の汚れ易さにより、不格好になることがある。
【０００４】
従って、プラスチック袋は、代替として知られている。プラスチック袋は、所望の安定性および強度のために十分な、例えば１００μｍの層厚を有する少なくとも１つのプラスチック層からなる。空気除去を可能にするため、かようなフィルム袋にスリットを備えることは知られている。この場合に充填材の流出を避けるために、フィルム袋の内側に、袋の内部空間においてスリットの領域で充填材を保護するちりめん状の濾紙層を内張りすることは知られている。このようなフィルム袋は、製造コストがかかり、かつ、袋の製造工程における加工の際に、複数の欠点を有する。
【発明の概要】
【０００５】
従って、プラスチックによって定められる安定性を有するフィルム袋に依る必要なしに、紙袋を、湿気の影響の際の欠点を回避するように、形成するという課題が、本発明の基礎になっている。
【０００６】
前記課題を解決するためには、本発明によれば、明細書の最初の部分に記載の袋は、側面壁が、その外側で、プラスチックフィルムからなり、かつ、６０μｍまたはそれ未満の厚さを持つ層を有し、該プラスチックフィルムは、少なくとも１つの紙層を、湿気防止のために囲み、かつ、重なり合う端部の領域に、複数の接着箇所を有し、該接着箇所の間に空気除去通路が存することを特徴とする。
【０００７】
従って、本発明に係わる紙袋は、袋の安定性を決定する紙層を湿気の影響から守る薄いプラスチックフィルムを有する。プラスチックフィルムは、該プラスチックフィルムがチューブを形成すべく長手方向接着継ぎ目を越えて閉じられた状態で貼着されていてなる重なり合う端部の領域を有する。しかしながら、対応の接着箇所は凹部を有する。その目的は、複数の接着箇所の間には、空気除去通路が生じるためである。従って、紙袋は、紙袋を囲むプラスチックフィルムによって、湿りの影響から、特に水蒸気による湿気の影響から守られているが、しかしながら、紙層によって与えられる空気除去を可能にする。
【０００８】
紙袋を囲むプラスチックフィルムは、特に好ましい実施の形態では、特に、プラスチックの重なり合っており、かつ接着箇所があってなる端部の領域でも、穿孔なしに形成されている。
【０００９】
プラスチックフィルムの重なり合う端部同士の接着は、適切な接着剤塗布によって行なわれるか、しかしまた、他の形でも、例えば、２つの端部同士の局所的なヒートシーリングによっても、可能である。
【００１０】
側面壁の外側におけるプラスチックフィルムが、１０と５０μｍの厚さを有することは好ましい。プラスチックフィルムが、その下にある紙層と点でのみ貼着されており、従って紙層から容易に除去可能であることは好ましい。このことによって、プラスチックフィルムが紙層から分離可能であるという利点を達成する。このことは、使用後の袋の再利用に有利である。しかし、容易な除去可能性は、例えばスーパーマーケット等での大売り出しのために、外側の見た目のよい紙層を有する袋を示すことができるように、場合によっては、輸送中に汚れたプラスチックフィルムを除去するために、用いることができる。この場合、プラスチックフィルムの下にある紙層が、プリントされていることも適切であることは好ましい。プラスチックフィルムは、この場合、透明に形成されていることは好ましい。その目的は、紙層上のプリントを、プラスチックフィルムを通して見ることができるためである。プラスチックフィルムは、通常のフィルムプラスチックから形成されていてもよい。ポリエチレンの使用も好ましい。
【００１１】
本発明の他の実施の形態では、プラスチックフィルム自体が、好ましくは、透明に形成されたプラスチックフィルムの、下にある紙層に向いている内側にプリントされている。このことによって、読み易くかつ販売目的のために示すことができる素晴らしいプリントが生じる。
【００１２】
透明なプラスチックフィルムが用いられるあらゆる場合に、少なくとも、プラスチックフィルムの下にある紙層を漂白紙で形成することは適切である。このことによって、無漂白のクラフト紙によって生じる暗い背景上に生じるだろう不快な反応を回避することができる。
【００１３】
更に、プラスチックフィルムを、下にある紙層に点で取り付けることは、袋からの空気の除去のために、利点を有する。何故ならば、プラスチックフィルムの複数の接着箇所の間の空気除去通路への空気の輸送のための流れ断面を拡大させるからである。
【００１４】
プラスチックフィルムを下の紙層から除去するために、プラスチックフィルムには、引き裂き補助手段を備えることができる。引き裂き補助手段は、脆弱線、材料の突出タブ等によって形成されていてもよい。
【００１５】
本発明によって、プラスチックフィルムが、その下の紙層と完全に接続されていることをも排除されない。
【００１６】
湿気の影響に対するプラスチックフィルムの保護機能を保証するために、プラスチックフィルムが、底部の折り畳まれた区域に組み込まれていることは適切である。
【００１７】
本発明に係わる紙層を、１つまたは２つのクラフト紙層で形成することは好ましい。但し、特に、かなりの機械的負荷に対して少なくとも１つの追加の紙層を使用することを排除しない。複数の紙層を有する構造では、紙層が、７０または８０ｇ／ｍ２の単位面積重量を有することは好ましくて、他方、使用された紙層では、より高い、例えば１２０ｇ／ｍ２の単位面積重量が有効であり得る。紙の種類が、ＩＳＯ１９２４−３に基づく、紙の縦方向における、通常のクラフト紙に関しては少なくとも１００Ｊ／ｍ２の、「半拡張可能な」クラフト紙の種類に関しては少なくとも１８０Ｊ／ｍ２の、および「拡張可能な」クラフト紙の種類に関しては少なくとも２４０のＴＥＡ値（引張りエネルギ吸収量）を有することは好ましい。クラフト紙のこれらの種類を通常は紙袋のために用いる。その目的は、紙袋の安定性および強度を定めるためである。これに対し、追加的に設けられたプラスチックフィルムは、安定性に影響を与える機能を全然有さず、とりわけ湿気の影響から、紙層の保護のために用いられる。
【００１８】
折り畳まれた底部、特に、六角底または角底を有する管状の側面壁からなる、本発明に係わる紙袋の形成を、従来の方法で行ない。従って、これ以上詳細に既述しない。
【００１９】
本発明は、袋が、２つの折り畳まれた底部を有し、そのうちの一方は、バルブ開口部を備え、該バルブ開口部へ、注入通路を形成すべく注入過程のために管状に曲げ開けることができるフラットなバルブが、挿入されている場合には、特別な利点をもたらす。この場合、バルブは、バルブ開口部に関し袋内部に向いている第１の端部と、側面壁に向いた第２の端部とを有する。紙袋を囲むプラスチックフィルムにより袋を湿気の影響から保護するように形成することを、効果的に補うのは、バルブが、第１の端部を形成する紙層を有し、該紙層は、第２の端部で、折り返されたフィルム層により覆われていることによって、であり、該フィルム層は、第１のフィルム部分と、該フィルム部分に折り線を介して接続された第２のフィルム部分と、を有する。従って、紙層の、袋の外部に向いた第２の端部は、プラスチックフィルムによって覆われており、従って、同様に、湿気の影響から保護されている。しかしながら、バルブの第１の端部には、充填材の圧力下で良好に密閉する、バルブの紙層による作用が使用される。従って、密閉のために好ましい紙層は、袋の外部に向かって、フィルム層によって覆われており、従って、湿気の影響から保護されている。バルブ袋のための紙層の密閉作用を十分に活用することができるためには、フィルム部分が、夫々、紙層の長さの部分の一部のみ亘って延びていることが意図されている。この場合、更に、フィルム層が紙層より幅広くて、従って、バルブ開口部の長手方向に対し垂直にある幅方向において両側で紙層から突出していることは適切である。
【００２０】
バルブのデザインは、知られるように、バルブの第２の端部から間隔をあけて終わるところの、紙製の補強シールが、バルブの領域における底部の折り畳まれた区域の中へ挿入されていることによって、改善される。補強シールにより、袋の平坦な壁層によって閉じられる底部開口部を曲げ開いて、管状のバルブ開口部を形成することが容易になる。
【００２１】
好ましい実施の形態では、フィルム層は、３０ないし５０μｍ、好ましくは４０μｍの厚さを有する。紙層は、５０と１００ｇ／ｍ２の間の、好ましくは８０μｍの単位面積重量をもって形成されていることは好ましい。しかし、個々の場合では、前記の厚さのフィルム層を、他の単位面積重量を有する紙層と結合し、あるいは、前記の単位面積重量を有する紙層を、他の厚さのフィルムと結合することも考えられる。
以下、図示した実施の形態に基づいて本発明を詳述する。
【図面の簡単な説明】
【００２２】
【図１】プラスチックフィルムの重なり合う領域における長手方向接着箇所の構成の略示を示す。
【図２】開いた底部フラップと、バルブ開口部ために位置決めされた補強シートとを有し、底角の折り畳み部によって部分的に折り畳まれた六角底を示す。
【図３】紙層と、該紙層を一端で覆うフィルム層とからなるバルブの位置決め状態の、図２に示した六角底を示す。
【図４】補強シートと、挿入されるべきでありかつ紙層およびフィルム層により形成されたバルブとからなる、図２および３に示した底部の斜視図を示す。
【図５】中を示すためにわずかに開いておりかつ補強シートおよび挿入されたバルブを有する、本発明に係わる袋の、その側面図を示す。
【発明を実施するための形態】
【００２３】
図１には、プラスチックフィルムの重なり領域における長手方向接着継ぎ目のデザインがただ略示されている。ここでは、ストリップ状に並列されて長手方向接着継ぎ目を形成している接着箇所Ｋは、小さな中空空間Ｚによって互いに分離されている。中間空間を通って、空気が袋内部から外部へ流れ出ることが可能である。このことは、図で、矢印Ｐによって示されている。図示した小さな雲は、中間空間Ｚを通って外へ流出する前の、袋内部の空気またはガスを示す。
【００２４】
当然ながら、例えば直線状に延びているのではなく、重なりストリップでは、平坦に延びているところの、接着箇所の他のパターンも、本発明の実施にも適切である。
【００２５】
図２ないし４には、本発明に係わる袋の折り畳まれた底部の構造の好ましい実施の形態が、示されている。底部は、六角底として実施されており、かつ、袋壁部を、２つの折り線１の付いた、開いた、フラットなチューブとして製造したことによって、生じるのである。三角形のポケット２が折り線１から始まって、内側へ折り曲げられており、底部フラップ３が生じるように、切り取られている。該底部フラップは、折り線４を介して、袋の大きな側壁に回動自在に接続されている。底部フラップ３を、ポケット２に対し垂直に内側に折り曲げる。このことから、六角底としてのデザインが生じる。
【００２６】
図２および３は、底部の折り畳み状態を示す。この折り畳み状態では、底部フラップ３はまた内側に折り曲げられていない。図２に示すように、紙の補強シート５を、挿入されたバルブ用のバルブ開口部を形成することが意図されるところのポケットの、その一方に貼着する。補強シート５は、側方で、折り線４を越えて幾らか底部フラップ３の領域に延びており、そこでも、貼着される。補強シート５は、底部角折り曲げ部６に向かって、折り返された端部７を有する。それ故に、補強シート５の対応の端部は、２層の形で補強形成されている。六角底を形成するために、底部フラップを後で折り返す際に、底部フラップ３に夫々有るところの、補強シート７のエッジストリップを、共に折り返す。補強シート７が、２０と４０ｇ／ｍ２との間、好ましくは３０ｇ／ｍ２の単位面積重量を有する紙層からなることは好ましい。
【００２７】
図２に示すように作成された構造の上に、図３に示すように、バルブを形成するために、組み合わされた材料を取り付ける。
【００２８】
組み合わされた材料は、フィルム層８および紙層９からなる。フィルム層８は、折り線１０を中心として折り返されており、従って、上方の第１のフィルム部分１１と、下方の第２のフィルム部分１２とを有する。かようにして横になったＶ字に形成されたフィルム層８は、紙層９を受け入れる。詳しくは、第１のフィルム部分１１は紙層９の上面を覆い、第２のフィルム部分１２は紙層９の下面を覆うのである。紙層９は、同様に、補強の理由から、折り返された前端１３を有する。該前端は、フィルム層８の前端まで押し込まれる。紙層９は、バルブの長手方向でフィルム層８よりも長く形成されている。それ故に、袋内部に向けて、紙層９がフィルム層８から突き出ている。フィルム層８は、バルブの長手方向に対し直角に、紙層９よりも幅広く形成されている。フィルム層８および紙層９は、底部フラップ３の折り線４を横方向に越えて延びており、従って、折り畳まれた底部を形成する際に。底部フラップ３と共に、折り線４を中心として内側に折り込まれる。
【００２９】
従って、バルブ装置が形成される。該バルブ装置は、バルブの長手方向に、従って図３では外側方向に、第１の端部１３と、該端部に向かい合っておりかつ袋内部に向いた第２の端部１４とを有する。
【００３０】
この場合、第１の端部１３は、補強シート５の前縁を越えて突出し、かつ、バルブ開口部の開いていない状態では、補強シート５を完全に覆っている。このことによって、補強シートは、湿気の作用から守られている。第２の端部１４を、紙層９および補強シート５によって形成する。その目的は、紙と紙の密閉を行なうためである。フィルム層８は、紙層９の一部分をわずかに越えて延びている。それ故に、第２の端部１４の領域におけるバルブの長さの重要な部分が、紙からのみなる。フィルム層８の長さが、紙層９の長さの１／２と３／４の間であることは好ましい。
【００３１】
図５は、充填によって箱の形態を取ったところの充填材が充填された袋の側面図を示す。従って、中央の折り線１から底部の角部まで延びている典型的な折り線が認められる。ここでは、補強シート１５と、フィルム層８および紙層９から形成されており、上方へ折り返されたエッジストリップを有するバルブと、その上にある底部フラップ３とが、略示されている。該底部フラップは、底部閉鎖部であり、場合によっては、（図示しない）底部覆いシートで覆われている。補強シート１５と、バルブ８，９と、折り返したエッジストリップとの層を認識するために、バルブ開口部が幾らか開いた状態で示されている。バルブの閉鎖を通常行なうのは、紙層９を補強シート５に押しつけることによって、袋に注入された充填材がバルブを閉鎖するように、袋を、バルブで形成された底部を上にして置くことによってである。
以下に審査された特許請求の範囲の請求項を、参考のために付記として記載する。
［１］  袋であって、チューブを形成すべく夫々長手方向接着継ぎ目によって閉じられた少なくとも２つの層から形成されており、かつ２つの先端を有する側面壁と、該先端において前記袋を閉じる折り畳まれた底部と、充填材を充填するための注入開口部と、を具備し、前記側面壁は、少なくとも１つの紙層を有し、該少なくとも１つの紙層は、少なくとも大部分、正味重量での耐荷重性、および前記袋の機械安定性を決定してなる袋において、
前記側面壁は、その外側で、プラスチックフィルムからなり、かつ６０μｍまたはそれ未満の厚さを持つ層を有し、該プラスチックフィルムは、少なくとも１つの紙層を、湿気防止のために囲み、かつ、重なり合う端部の領域に、複数の接着箇所（Ｋ）を有し、該接着箇所の間に空気除去通路（Ｚ）が存することを特徴とする袋。
［２］  前記プラスチックフィルムは、１０と５０μｍの間の厚さを有することを特徴とする［１］に記載の袋。
［３］  前記プラスチックフィルムは、点のみで、該プラスチックフィルムの下方にある紙層と接着されており、従って、該紙層から容易に除去可能であることを特徴とする［１］または［２］に記載の袋。
［４］  前記プラスチックフィルムは、透明に形成されていることを特徴とする［１］ないし［３］のいずれか１項に記載の袋。
［５］  前記プラスチックフィルムは、ポリエチレンからなることを特徴とする［１］ないし［４］のいずれか１項に記載の袋。
［６］  前記プラスチックフィルムの下にある紙層は、漂白紙からなることを特徴とする［１］ないし［５］のいずれか１項に記載の袋。
［７］  前記プラスチックフィルムは、該プラスチックフィルムの下にある紙層に向いている内側に、プリントされていることを特徴とする［４］ないし［６］のいずれか１項に記載の袋。
［８］  前記プラスチックフィルムは、前記側面壁からの除去を容易にする引き裂き補助手段を備えていることを特徴とする［３］ないし［７］のいずれか１項に記載の袋。
［９］  前記プラスチックフィルムは、前記底部の折り畳まれた区域に組み込まれていることを特徴とする［１］ないし［８］のいずれか１項に記載の袋。
［１０］  前記プラスチックフィルムは、重なり合う端部の領域でも、穿孔を有しないことを特徴とする［１］ないし［９］のいずれか１項に記載の袋。
［１１］  前記袋は、２つの折り畳まれた底部を有し、そのうちの一方は、バルブ開口部を備え、該バルブ開口部へは、注入通路を形成すべく注入過程のために管状に曲げ開けることができるフラットなバルブが、挿入されており、該バルブは、前記バルブ開口部に関し前記袋内部に向いている第１の端部(１３)と、前記側面壁に向いた第２の端部(１４)とを有すること、および、
前記バルブは、前記第１の端部(１３)を形成する紙層(９)を有し、該紙層は、第２の端部(１４)で、折り返されたフィルム層（８）によって覆われており、該フィルム層は、第１のフィルム部分（１１）と、該フィルム部分に折り線を介して接続された第２のフィルム部分（１２）と、を有することを特徴とする［１］ないし［１０］のいずれか１項に記載の袋。
［１２］  前記フィルム部分（１１，１２)は、夫々、前記紙層（９）の長さの一部分のみに亘って延びていることを特徴とする［１１］項に記載の袋。
［１３］  前記フィルム層（８）は、前記紙層(９)よりも幅広いことを特徴とする［１１］または［１２］に記載の袋。
［１４］  前記バルブの前記第２の端部(１４)から間隔をあけて終わるところの、紙製の補強シール（５）が、前記バルブの領域における前記底部の折り畳まれた区域の中へ挿入されていることを特徴とする［１１］ないし［１３］のいずれか１項に記載の袋。
［１５］  前記フィルム層（８）は、３０ないし５０μｍの厚さを有し、前記紙層(９)は、５０と１００ｇ／ｍ２の間の単位面積重量を有することを特徴とする［１１］ないし［１４］のいずれか１項に記載の袋。
【符号の説明】
【００３２】
８  フィルム層
９  紙層
１０  折り線
１１  フィルム部分
１３  第１の端部
１４  第２の端部
Ｋ  接着箇所
Ｚ  空気除去通路
Ｐ  矢印
【図１】
0006509891.tif 000002
【図２】
0006509891.tif 000003
【図３】
0006509891.tif 000004
【図４】
0006509891.tif 000005
【図５】
0006509891.tif 000006